【事件の表示】
　特願２００３−３９５１３４「エアコン用冷媒管の保護ダクト装置」拒絶査定不服審判事件〔平成１６年　２月１２日出願公開、特開２００４−　４４８１５〕について、次のとおり審決する。
【結　論】
　本件審判の請求は、成り立たない。
【理　由】
１．手続の経緯・本願発明
　本願は、平成８年８月２３日に出願した特願平８−２４１２６９号の一部を平成１５年１１月２６日に新たな特許出願としたものであって、その請求項１に係る発明（以下「本願発明」という。）は、平成１９年１１月１４日付の手続補正書により補正された明細書及び出願当初の図面の記載からみて、特許請求の範囲の請求項１に記載された事項により特定される次のとおりのものと認められる。
　
　「長手方向に屈曲自在な蛇腹部を備えた中空筒体からなり、その周壁の拡開によりエアコン用冷媒管を内部に収容して保護すべく、建物の壁面側に向けて設置される底壁に長手方向に連続する切割部を備え、エアコン用冷媒管を保護する保護カバーの端部開口に内挿されて該保護カバーに接続される接続部を備えた保護ダクトと、
　一方に開口を有し、前記保護ダクトの蛇腹部の一つの凹部内のみに嵌入可能な線径に形成された線材により構成され、前記開口部を拡開させて前記保護ダクトに外嵌させるべく弾性変形可能で、且つ、前記一つの凹部内に嵌入して前記保護ダクトに外嵌した状態で該保護ダクトの周壁の拡開を防止し得る剛性を備えた拡開防止具と、
からなることを特徴とするエアコン用冷媒管の保護ダクト装置。」
　
２．引用文献
（２−１）当審における拒絶の理由に引用した実願平４−４４３８号（実開平６−６８９０号）のＣＤ−ＲＯＭ（以下「引用文献１」という。）には、図面と共に次の事項が記載されている。
・「【０００１】
【産業上の利用分野】
　本考案は空調機器の室内機と室外機との間で冷・熱媒を送受させるための空調配管を建屋の壁に取り付けるとともに該空調配管を保護する空調用配管カバー、特に、曲折自在な空調用配管カバーに係るものである。」
・「【０００３】
　　【考案が解決しようとする課題】
　ところが、上記空調用配管カバーは管状に形成されていることから内部に空調配管を収容する際に端部から挿入しなければならないために施工が頗る煩雑なものとなっていた。
　　【０００４】
　そこで、実公平１−２２３５１号公報や実公平１−４０２６５号公報等にみられるようにコルゲート管を半割り状になしたものや該コルゲート管の半割り状物からなるものが考案されるに至ったが、開口部の係止等接合面の嵌着作業が煩雑である等必ずしも満足し得るものとは言えなかった。」
・「【０００６】
　　【課題を解決するための手段】
　本考案は上記に鑑み考案されたものであって、管壁を曲成して周面に螺旋状若しくは独立リング状の突起部を形成してなるコルゲート管状の空調用配管カバーにおいて、管壁に軸線方向に沿う開口部を設けるとともに該開口部に所定幅をもって互いに重ね合わされる合口面を設けてなることを特徴とする空調用配管カバーである。」
・「【０００８】
　また、空調用配管カバーの断面形状は略長方形であっても略円形であってもよいが、配管カバー自体のフレキシブル性を保たせるために断面略長方形にして、角に丸みを持たせた方がよく、好ましくは略半円形がよい。なお、本考案に係る配管カバーの素材としては、リニア低密度ポリエチレンの如き柔軟性に富んだ熱可塑性樹脂の使用が好ましい。またさらに、収納された配管を外部に露出させないために、合口面同士には前記突起部同士が合口した際に互いに係合する凸部と凹部をそれぞれ所定間隔をおいて複数組設けるのがよいのは勿論のことである。」
　
　これらの記載事項及び図示内容を総合すると、引用文献１には、次の事項からなる発明（以下「引用発明」という。）が記載されているといえる。
　「管壁を曲成して周面に螺旋状若しくは独立リング状の突起部を形成してなるコルゲート管状の管からなり、管壁に軸線方向に沿う開口部を備えた空調用配管カバー。」
　
（２−２）同じく当審で拒絶の理由に引用した実願平５−６８５０３号（実開平７−３２２９号）のＣＤ−ＲＯＭ（以下「引用文献２」という。）には、図面と共に次の事項が記載されている。
・「【０００６】
　　【作用】
　合成樹脂からなるコルゲート管の管壁を管軸方向に切断し、かつ管軸方向に連続する切欠を谷部の肉厚を残して形成するようにしているので、切欠を形成した部分に残された谷部が軸となり、切断部分が開かれ得る。施工時には、切断部分を開いてケーブル保護管内にケーブルを収納し、その後、ケーブル保護管の外面に押えリングを装着して切断部分の開きを防止する。」
・「【００１０】
　……
　施工時には、コルゲート管１６の切断部（切断面１８）を開いてケーブル保護管１０内にケーブル２６を収納し（図４）、ケーブル保護管１０と側溝２２とをアダプタ２８を介して接続する。そして、その曲率を立ち上げ部の曲がり程度に合わせて調整した後、ケーブル保護管１０を電柱２４にバンド３０等を用いて固定する。そして、切断部（切断面１８）の開きを防止するために、ケーブル保護管１０の外面にたとえば図５に示すような略Ｃ形状の押えリング３２を装着する。押えリング３２は、たとえば亜鉛めっき鋼板等の弾性材料からなり、ケーブル保護管１０の外面に沿う内面形状を有する。また、押えリング３２のリング角度は、ケーブル保護管１０の外面に装着し易くかつ脱落しない角度（たとえば２００°）に設定される。」
　
（２−３）同じく当審で拒絶の理由に引用した実願昭６１−１９２８５４号（実開昭６３−９７３３２号）のマイクロフィルム（以下「引用文献３」という。）には、図面と共に次の事項が記載されている。
・「本考案は上述の点に鑑みて為されたものであり、その目的とするところは、フレキシブル化粧モールを複雑に曲げて電線に被着する場合にも、フレキシブル化粧モールが電線から浮くことがないようにしたモール固定具を提供することにある。」（明細書４頁７〜１１行）
・「本考案は、壁面などの造営面に露出配線される電線に被着され上記電線の曲がりに応じて曲げられる断面コ字状のフレキシブル化粧モールを上記電線に固定するモール固定具であって、上記電線の下面とフレキシブル化粧モールの上面とに夫々弾接される弾接片を備え、この弾接片間に電線及びフレキシブル化粧モールを挟持して電線にフレキシブル化粧モールを固定するモール固定具であり、」（明細書４頁１４行〜５頁１行）
・「本実施例のモール固定具１１では、コ字状部の側辺８が電線３と造営面１０との間に挿入されるとともに、フレキシブル化粧モール２の蛇腹部６の溝５に辺９を嵌入するようにして、モール固定具１１を電線３にフレキシブル化粧モール２を被着した側方から差し込む。このため、辺８，９で電線３及びフレキシブル化粧モール２が挟持されて、電線３にフレキシブル化粧モール２が固定され、電線３からフレキシブル化粧モール２が浮かなくなるのである。」（明細書６頁２〜１１行）
　
・第２図には、蛇腹部６の一つの溝内に嵌入可能な線径に形成された線材により構成されたモール固定具１１が示されている。
　
３．対比
　本願発明と引用発明とを対比すると、後者の「管壁を曲成して周面に螺旋状若しくは独立リング状の突起部を形成してなるコルゲート管状の管」はその作用・機能からみて、前者の「長手方向に屈曲自在な蛇腹部を備えた中空筒体」に相当する。
　また、後者は空調用配管カバーに関するものであるから、後者の「管壁に軸線方向に沿う開口部を備えた空調用配管カバー」は「その周壁の拡開によりエアコン用冷媒管を内部に収容して保護すべく、長手方向に連続する切割部を備えた保護ダクトからなるエアコン用冷媒管の保護ダクト装置」に相当する。
　
　したがって両者は、
「長手方向に屈曲自在な蛇腹部を備えた中空筒体からなり、その周壁の拡開によりエアコン用冷媒管を内部に収容して保護すべく、長手方向に連続する切割部を備えた保護ダクトからなるエアコン用冷媒管の保護ダクト装置。」である点で一致し、
　
［相違点］
（イ）保護ダクトの切割部を、本願発明では、「建物の壁面側に向けて設置される底壁に」備えているのに対して、引用発明では、このような特定がされていない点、
（ロ）本願発明では、保護ダクトに「エアコン用冷媒管を保護する保護カバーの端部開口に内挿されて該保護カバーに接続される接続部を備え」ているのに対し、引用発明ではこのような特定がされていない点、及び
（ハ）本願発明では、「一方に開口を有し、保護ダクトの蛇腹部の一つの凹部内のみに嵌入可能な線径に形成された線材により構成され、開口部を拡開させて前記保護ダクトに外嵌させるべく弾性変形可能で、且つ、前記一つの凹部内に嵌入して前記保護ダクトに外嵌した状態で該保護ダクトの周壁の拡開を防止し得る剛性を備えた拡開防止具」を有するのに対して、引用発明では、そのような構成を有していない点で相違している。
　
４．相違点に対する判断
相違点（イ）について
　エアコン用の配管カバーを取り付ける際に、配管を収容するための開口部の、長手方向に連続する係合機構が露出することを避けるために該係合機構を見えない位置に配置することで前記開口部を壁側に向けて設置することが、実願平３−６０５９９号（実開平５−１７４２７号）のＣＤ−ＲＯＭに記載され、また、エアコンの配管カバーの配管を収容するための開口部を壁側に向けて設置することが登録実用新案第３０２６４５１号公報（平成８年７月１２日発行）に記載されているように、配管を収容するための開口部を壁面側に向けて設置することは、周知技術と認められる。
　してみると、引用発明において、配管カバーの配管を収容するための開口部に相当する「切割部」を、「建物の壁面側に向けて設置される底壁に」備えるものとすることは当業者が必要に応じて任意になし得る事項と認められる。
　したがって、引用発明において、上記周知技術を適用することにより相違点（イ）に係る本願発明の構成とすることは、当業者が必要に応じて適宜設計し得る事項と認められる。
　
相違点（ロ）について
　保護ダクト装置において、「エアコン用冷媒管を保護する保護カバーの端部開口に内挿されて該保護カバーに接続される接続部を備え」た構成とすることは、実願平４−６０２９０号（実開平６−１６８００号）のＣＤ−ＲＯＭ、実願昭５７−２１５８８号（実開昭５８−８０７７号）のマイクロフィルム、特開平６−２２１６２１号公報等に記載されており周知技術である。
　したがって、引用発明においても、上記周知技術を採用して、相違点（ロ）に係る本願発明の構成とすることは、当業者に容易である。
　
相違点（ハ）について
　引用文献２には、切断部分を開いて保護管内に被保護部材を収納した後、保護管の外面に装着して切断部の開きを防止する、弾性材料からなる略Ｃ形状の押さえリングの発明（以下「引用文献２記載の発明」という。）が記載されている。
　この押さえリングは、ケーブル保護管の外面に装着し易くかつ脱落しないリング角度（たとえば２００°）に設定されており、弾性材料からなり、さらに、ケーブル保護管の外面に沿う内面形状を有することにより、ケーブル保護管の切断部分の開きを防止するものであるから、「一方に開口を有し、開口部を拡開させて保護ダクトに外嵌させるべく弾性変形可能で、前記保護ダクトに外嵌した状態で該保護ダクトの周壁の拡開を防止し得る剛性を備えた拡開防止具」であるといえる。
　また、引用文献３に、蛇腹部を有するカバー（フレキシブル化粧モール）を押さえるために、蛇腹部の一つの凹部内に嵌入可能な線径に形成された弾性材料からなる線材を用いることが記載されているように、このような線径の弾性材料は周知である。
　引用文献２に記載の発明は、切断部分を開いて保護ダクト内に被保護部材を収納した後切断部を閉じるようにした保護ダクト装置に関するものである点で引用発明と共通の技術分野に属するものであるから、引用発明において、引用文献２に記載の押さえリングを用いる構成とすることは当業者に容易である。
　そしてその際、略Ｃ形状の押さえリングとして、例えば、引用文献３に記載されたような周知の、蛇腹部の一つの凹部内に嵌入可能な線径に形成された弾性材料からなる線材を用いることは当業者が必要に応じて適宜設計し得る事項である。
　したがって、引用発明において、相違点（ハ）に係る本願発明の構成とすることは当業者に容易である。
　
　また、本願発明の全体構成により奏される効果は、引用発明、引用文献２に記載された発明及び上記周知技術から予測し得る程度のものと認められる。
　
５．むすび
　したがって、本願発明は、引用発明、引用文献２に記載された発明及び上記周知技術に基づいて、当業者が容易に発明をすることができたものであるから、特許法第２９条第２項の規定により特許を受けることができない。
　よって、結論のとおり審決する。